(57)【要約】【課題】従来の技術によると、プラズマディスプレイ装置はファンもしくは自然による対流を利用した放熱構造であるため、壁に埋め込んだ際には放熱効率が著しく低下し、回路部の異常動作やパネルの表示不良などの問題を有していた。【解決手段】プラズマディスプレイパネルと、動作回路部を保護するバックカバーが配置されたプラズマディスプレイ装置を壁部に埋設させる構造において、バックカバーの全面または一部が赤外線を透過することができる材料からなり、バックカバーに対向する壁側に全面または一部が赤外線を反射する材料からなりかつ曲面を有する層を設けることにより赤外線を反射し、プラズマディスプレイ装置と壁部との隙間から赤外線を逃がすことにより放熱効率を高めることができることを特徴とするプラズマディスプレイ装置。【選択図】図４
2005338705.tif 000002
【特許請求の範囲】
【請求項１】
プラズマディスプレイパネルと、前記プラズマディスプレイパネルの背面に動作回路部等を有し、前記動作回路部を保護するバックカバーが配置され，壁部に埋設された状態で使用されるプラズマディスプレイ装置であって，
前記バックカバーの表裏の全面または一部と前記壁部の前記バックカバーと対向した面の全面または一部に，少なくとも１層の層部材を備えたことを特徴とするプラズマディスプレイ装置。
【請求項２】
プラズマディスプレイパネルと、前記プラズマディスプレイパネルの背面に動作回路部等を有し、前記動作回路部を保護するバックカバーが配置され，壁部に埋設された状態で使用されるプラズマディスプレイ装置であって，
前記バックカバーの表裏の全面または一部と前記壁部の前記バックカバーと対向した面の全面または一部に赤外線を吸収し放熱効率を高めることができる第１又は第２の層部材を備えたことを特徴とするプラズマディスプレイ装置。
【請求項３】
プラズマディスプレイパネルと、前記プラズマディスプレイパネルの背面に動作回路部等を有し、前記動作回路部を保護するバックカバーが配置され，壁部に埋設された状態で使用されるプラズマディスプレイ装置であって，
前記バックカバーの全面または一部が赤外線を透過することができる材料からなり、
前記壁部の前記バックカバーと対向した面の全面または一部に赤外線を吸収し放熱効率を高めることができる第２の層部材を備えたことを特徴とするプラズマディスプレイ装置。
【請求項４】
前記請求項２または３記載のプラズマディスプレイ装置において、前記バックカバーと前記壁部とが密着している部分を有することを特徴とするプラズマディスプレイ装置。
【請求項５】
前記請求項２または３記載のプラズマディスプレイ装置において、前記壁部に設置された第２の層部材は、全面または一部が赤外線を反射する材料からなり，前記赤外線を反射し、前記プラズマディスプレイ装置と前記壁部との隙間から赤外線を逃がすことを特徴とするプラズマディスプレイ装置。
【請求項６】
前記請求項２記載のプラズマディスプレイ装置において、第１又は第２の層部材は，バリウムほう珪酸ガラス，アルミナ，表面にカーボンブラックを有するアルミニウム，黒色のアルマイト処理がされたアルミニウムの何れかであることを特徴とするプラズマディスプレイ装置。
【請求項７】
前記請求項３記載のプラズマディスプレイ装置において、赤外線が透過することができる前記バックカバーが硫化亜鉛またはフッ化マグネシウム材料からなることを特徴とするプラズマディスプレイ装置。
【請求項８】
前記請求項６記載のプラズマディスプレイ装置の構成において、前記壁部に設置された層が赤外線を反射する層であり、その層の表面が鏡面処理されたことを特徴とするプラズマディスプレイ装置。
【発明の詳細な説明】
【技術分野】
【０００１】
本発明は放射を利用した放熱構造を有するプラズマディスプレイ装置に関するものである。
【背景技術】
【０００２】
近年、薄型ディスプレイが急激に普及し始め、今後ますます普及し、従来のＣＲＴに取って代わることが予想される。現在、薄型ディスプレイの設置場所は従来のＣＲＴの様に床に置くことが多いが、将来、薄型ディスプレイの省スペースという特徴をより活かした壁埋め込みや壁掛けなどの設置が主流になってくる。
【０００３】
ところで、従来、この種のプラズマディスプレイ装置は、バックカバーに放熱孔を設け、ファンを用いて強制対流（換気）を利用し、冷却効率を上げている。また、ファンは用いずに自然対流（換気）を利用し、放熱しているものもある。
【０００４】
図５は、従来のプラズマディスプレイ装置を示すものである。図５に示すように、設置用の脚部２を有する基台３と、この基台３によって縦置き状態に支持されたパネル本体部４と、このパネル本体部４の側部及び背面を覆うバックカバー５から構成されている。なお、強制冷却用のファン６をパネル本体部４とバックカバー５との間の上部に搭載し、バックカバー５には放熱孔７が設けてあり、ファン６により放熱孔７を通じて空気１５がバックカバー５外部に排出される。
【０００５】
しかし、このようなプラズマディスプレイ装置を壁１６に埋め込むと熱がこもって放熱効率が大きく低下するため、新たな冷却構造を有するプラズマディスプレイ装置を提供することが必要となる。また、ファン６を有することで、騒音、消費電力増加なども問題であった。
【特許文献１】特開２００３−８６９７９号公報
【発明の開示】
【発明が解決しようとする課題】
【０００６】
前記従来の構成では、壁１６に埋め込むなど周囲が壁に囲まれるように設置した際、対流による冷却構造なので、熱がこもって放熱効率が著しく低下し、それにより回路部９に搭載されている半導体部品の温度上昇による信頼性低下や、パネル本体部４の温度上昇により、アドレスしても電荷が保持できず、維持期間に発光できなくなるなどの問題が起こることは明らかである。
【０００７】
図６は特許文献１に記載されたプラズマディスプレイ装置を示すものである。バックカバー５の表面に黒色陽極酸化皮膜１８を形成することで放射率を高め、熱放射を利用して冷却効率を高める構造をしている。しかしながら、壁１６側には何の工夫もなく、このような構造においては壁１６に埋め込んだ際および壁にかけた際、バックカバーから放射される赤外線１４を壁１６が反射し、再びバックカバーで赤外線１７を吸収して熱となるため、バックカバーで放射率を高める効果がなく、冷却効率が低下する。そのため、この構造では壁に埋め込んだ際の上記の課題は解決されていない。
【０００８】
そこで、本発明は壁側にも熱放射を利用した冷却構造を有することで、前記従来の課題を解決したプラズマディスプレイ装置を提供することを目的とする。
【課題を解決するための手段】
【０００９】
前記従来の課題を解決するために、本発明のプラズマディスプレイ装置は、バックカバーの表裏の全面または一部と壁部のバックカバーと対向した面の全面または一部に赤外線を吸収し放熱効率を高めることができる層を設置した冷却構造を有することで、回路部で発生した赤外線を壁に吸収させ、壁に埋め込んだ時など、壁付近に設置した時でも高効率で冷却できるプラズマディスプレイ装置を実現する。
【００１０】
または、前記従来の課題を解決するために、本発明のプラズマディスプレイ装置は、バックカバーの全面または一部が赤外線を透過することができる材料からなり、壁部のバックカバーと対向した面の全面または一部に赤外線を吸収し放熱効率を高めることができる層を設置した冷却構造を有することで、回路部で発生した赤外線を壁に吸収させ、壁に埋め込んだ時など、壁付近に設置した時でも高効率で冷却できるプラズマディスプレイ装置を実現する。
【００１１】
上記の２つの構造においては、バックカバーと壁との間の隙間をなくすことにより、バックカバーの熱伝導を利用して壁に伝えることで放熱効率を高めるプラズマディスプレイ装置を実現することもできる。
【００１２】
前記従来の課題を解決するために、本発明のプラズマディスプレイ装置は、バックカバーの表裏の全面または一部に赤外線を吸収し放熱効率を高めることができる層を設置し、壁側の層だけ、全面または一部が赤外線を反射する材料からなりかつ曲面を有することにより赤外線を反射し、プラズマディスプレイ装置と壁部との隙間から赤外線を逃がすことにより、壁に埋め込んだ時など、壁付近に設置した時でも高効率で冷却できるプラズマディスプレイ装置を実現する。
【００１３】
または、前記従来の課題を解決するために、本発明のプラズマディスプレイ装置は、バックカバーの全面または一部が赤外線を透過することができる材料からなり、壁側の層だけ、全面または一部が赤外線を反射する材料からなりかつ曲面を有することにより赤外線を反射し、プラズマディスプレイ装置と壁部との隙間から赤外線を逃がすことにより、壁に埋め込んだ時など、壁付近に設置した時でも高効率で冷却できるプラズマディスプレイ装置を実現する。
【００１４】
具体的には請求項に係る発明は以下の構成を採る。
【００１５】
すなわち，本願発明のプラズマディスプレイ装置は，プラズマディスプレイパネルと、前記プラズマディスプレイパネルの背面に動作回路部等を有し、前記動作回路部を保護するバックカバーが配置され，壁部に埋設された状態で使用されるプラズマディスプレイ装置であって，前記バックカバーの表裏の全面または一部と前記壁部の前記バックカバーと対向した面の全面または一部に，少なくとも１層の層部材を備えたことを特徴とする構成を採る。
【００１６】
また，本願発明のプラズマディスプレイ装置は，プラズマディスプレイパネルと、前記プラズマディスプレイパネルの背面に動作回路部等を有し、前記動作回路部を保護するバックカバーが配置され，壁部に埋設された状態で使用されるプラズマディスプレイ装置であって，前記バックカバーの表裏の全面または一部と前記壁部の前記バックカバーと対向した面の全面または一部に赤外線を吸収し放熱効率を高めることができる第１又は第２の層部材を備えたことを特徴とする構成を採る。
【００１７】
また，本願発明のプラズマディスプレイ装置は，プラズマディスプレイパネルと、前記プラズマディスプレイパネルの背面に動作回路部等を有し、前記動作回路部を保護するバックカバーが配置され，壁部に埋設された状態で使用されるプラズマディスプレイ装置であって，前記バックカバーの全面または一部が赤外線を透過することができる材料からなり、前記壁部の前記バックカバーと対向した面の全面または一部に赤外線を吸収し放熱効率を高めることができる第２の層部材を備えたことを特徴とする構成を採る。
【００１８】
さらに，上記プラズマディスプレイ装置において、前記バックカバーと前記壁部とが密着している部分を有することを特徴とする構成を採る。
【００１９】
さらに，上記プラズマディスプレイ装置において、前記壁部に設置された第２の層部材は、全面または一部が赤外線を反射する材料からなり，前記赤外線を反射し、前記プラズマディスプレイ装置と前記壁部との隙間から赤外線を逃がすことを特徴とする構成を採る。
【００２０】
さらに，上記，ラズマディスプレイ装置において、第１又は第２の層部材は，バリウムほう珪酸ガラス，アルミナ，表面にカーボンブラックを有するアルミニウム，黒色のアルマイト処理がされたアルミニウムの何れかであることを特徴とする構成を採る。
【００２１】
さらに，上記プラズマディスプレイ装置において、赤外線が透過することができる前記バックカバーが硫化亜鉛またはフッ化マグネシウム材料からなることを特徴とする構成を採る。
【００２２】
さらに，上記プラズマディスプレイ装置の構成において、前記壁部に設置された層が赤外線を反射する層であり、その層の表面が鏡面処理されたことを特徴とする構成を採る。
【発明の効果】
【００２３】
以上のように、本発明によれば、壁に埋め込んだ時でも効率を低下させることなく放熱することができる。これにより、壁埋め込み型の高信頼性プラズマディスプレイパネル装置を実現できる。
【発明を実施するための最良の形態】
【００２４】
以下、本発明の実施形態を図面を参照して説明する。
【００２５】
（実施の形態１）
図１に本発明の実施の形態１におけるプラズマディスプレイ装置を示す。図１において、プラズマディスプレイ装置は、脚部２等を有する基台３によって支持されたプラズマディスプレイのパネル本体部４と、前記パネル本体部４を駆動する回路と電力を供給する電源からなる回路部９と、前記回路部９と電源部を保護するバックカバー５とを備えている。なお、パネル本体部４はシャーシ８の前面側に接合して支持され、回路部９は前記シャーシ８の背面側に取り付けられている。前記バックカバー５は、これ自体がプラズマディスプレイ装置のケーシング全体を形成している。このバックカバー５は、表裏に赤外線吸収層１０を設置した金属、例えば、高放射率セラミックスシートが貼付された金属、または黒色などのアルマイト処理された金属や、カーボンブラックを塗布した金属からなり、上記金属にはアルミニウムなどを用いている。昇温した回路部９等から放射される赤外線１９を上記構成からなるバックカバーの内側面で吸収し、加熱昇温し、再び上記構成からなるバックカバーの外側面から赤外線２０として放射する。この放射された赤外線２０は、壁１６のバックカバーとは対向する面に設置された、高放射率セラミックスシートや、黒色などのアルマイト処理された金属や、カーボンブラックを塗布した金属からなる赤外線吸収層１１に吸収されて熱となり、壁１６に伝導される。
【００２６】
（実施の形態２）
図２に本発明の実施の形態２におけるプラズマディスプレイ装置を示す。図２において、プラズマディスプレイ装置は、脚部２等を有する基台３によって支持されたプラズマディスプレイのパネル本体部４と、前記パネル本体部４を駆動する回路と電力を供給する電源からなる回路部９と、前記回路部９と電源部を保護する赤外線透過バックカバー１２とを備えている。なお、パネル本体部４はシャーシ８の前面側に接合して支持され、回路部９は前記シャーシ８の背面側に取り付けられている。前記赤外線透過バックカバー１２は、これ自体がプラズマディスプレイ装置のケーシング全体を形成している。この赤外線透過バックカバー１２は、硫化亜鉛やフッ化マグネシウムなどからなる赤外線１９を透過する材料からなり、回路部９から放射された赤外線１９は直接、壁１６のバックカバーとは対向する面に設置された、高放射率セラミックスシートや、黒色などのアルマイト処理された金属や、カーボンブラックを塗布した金属からなる赤外線吸収層１１に吸収されて熱となり、壁１６に伝導される。
【００２７】
（実施の形態３）
図３に本発明の実施の形態３におけるプラズマディスプレイ装置を示す。図３において、プラズマディスプレイ装置は、脚部２等を有する基台３によって支持されたプラズマディスプレイのパネル本体部４と、前記パネル本体部４を駆動する回路と電力を供給する電源からなる回路部９と、前記回路部９と電源部を保護するバックカバー５とを備えている。なお、パネル本体部４はシャーシ８の前面側に接合して支持され、回路部９は前記シャーシ８の背面側に取り付けられている。前記バックカバー５は、これ自体がプラズマディスプレイ装置のケーシング全体を形成している。このバックカバー５は、表裏に赤外線吸収層１０を設置した金属、例えば、高放射率セラミックスシートが貼付された金属、または黒色などのアルマイト処理された金属や、カーボンブラックを塗布した金属からなり、上記金属にはアルミニウムなどを用いている。昇温した回路部９等から放射される赤外線１９を上記構成からなるバックカバーの内側面で吸収し、加熱昇温し、再び上記構成からなるバックカバーの外側面から赤外線２０として放射する。この放射された赤外線２０は、壁１６のバックカバーとは対向する面に設置されて表面が鏡面処理された、金属板もしくは表面にめっきなどの金属層をもつ材料からなる、曲面を有する赤外線反射層１３により反射され、プラズマディスプレイ装置１と壁１６の隙間から矢印２１のように逃がされる。
【００２８】
（実施の形態４）
図４に本発明の実施の形態４におけるプラズマディスプレイ装置を示す。図４において、プラズマディスプレイ装置は、脚部２等を有する基台３によって支持されたプラズマディスプレイのパネル本体部４と、前記パネル本体部４を駆動する回路と電力を供給する電源からなる回路部９と、前記回路部９と電源部を保護する赤外線透過バックカバー１２とを備えている。なお、パネル本体部４はシャーシ８の前面側に接合して支持され、回路部９は前記シャーシ８の背面側に取り付けられている。前記赤外線透過バックカバー１２は、これ自体がプラズマディスプレイ装置のケーシング全体を形成している。この赤外線透過バックカバー１２は、硫化亜鉛やフッ化マグネシウムなどからなる赤外線１９を透過する材料からなり、回路部９から放射された赤外線１９は赤外線透過バックカバー１２を透過し、壁１６のバックカバーとは対向する面に設置されて表面が鏡面処理された、金属板もしくは表面にめっきなどの金属層をもつ材料からなる、曲面を有する赤外線反射層１３により反射され、プラズマディスプレイ装置１と壁１６の隙間から矢印２１のように逃がされる。
【００２９】
なお、図１、図３のバックカバー５において、全面ではなく、発熱量の大きい回路部９に対向する部分のみ、表裏に赤外線吸収層１０を設置したアルミニウムなどの金属、例えば、高放射率セラミックスシートが貼付された金属、または黒色などのアルマイト処理された金属や、カーボンブラックを塗布した金属からなる構成でも、図２、図４における赤外線透過バックカバー１２においても同様に全面ではなく、発熱量の大きい回路部９に対向する部分のみ、赤外線１９を透過する材料からなる構成でもよい。
【実施例】
【００３０】
本発明のプラズマディスプレイ装置を用いて、放熱効率の比較検証試験を行った。以下にその具体例を述べる。
【００３１】
（実施例１）
図１のように、プラズマディスプレイ装置１の上面、側面、背面から１０ｃｍ離して壁１４を設置した。バックカバー５の表裏および壁１６に赤外線吸収層１０、１１として高放射率セラミックスシートを貼付し、プラズマディスプレイ装置の駆動開始２時間後の動作回路部のヒートシンクにおける温度を熱伝対を用いて測定し、図５に示す従来のプラズマディスプレイ装置と比較した。
【００３２】
（実施例２）
図２のように、実施例１のバックカバー５を赤外線透過バックカバー１２として、赤外線を透過するバリウムほう珪酸ガラスに替え、同様の実験を行った。
【００３３】
（実施例３）
図３のように、実施例１のバックカバー５とは対向して設置された壁１６側の赤外線吸収層１１である高放射率セラミックスシートを、表面が鏡面処理され、かつ曲面を有する赤外線反射層１３であるアルミニウム板に替え、同様の実験を行った。
【００３４】
（実施例４）
図４のように、実施例１のバックカバー５を赤外線透過バックカバー１２として赤外線を透過するバリウムほう珪酸ガラスに替え、また、赤外線透過バックカバー１２とは対向して設置された壁１６側の赤外線吸収層１１である高放射率セラミックスシートを、表面が鏡面処理され、かつ曲面を有する赤外線反射層１３であるアルミニウム板に替え、同様の実験を行った。
【００３５】
これらの結果を（表１）に示す。
【００３６】
【表１】
2005338705.tif 000003
【００３７】
これにより、従来の対流を利用した放熱構造を有するプラズマディスプレイ装置では、ヒートシンクの温度が９４℃となり、半導体部品の信頼性が確保される９０℃を超える。しかし、本発明による冷却構造を有したプラズマディスプレイ装置では、いずれの実施例においても９０℃以下となるため、回路部の信頼性を十分確保できることが示された。また、パネルにおいても、表示不良が起こらなくなる。
【産業上の利用可能性】
【００３８】
本発明による放射を利用した放熱構造を有するプラズマディスプレイ装置は、壁埋設型プラズマディスプレイ装置等の薄型ディスプレイ装置に大変有用である。
【図面の簡単な説明】
【００３９】
【図１】本発明の実施の形態１のプラズマディスプレイ装置を示す断面図
【図２】本発明の実施の形態２のプラズマディスプレイ装置を示す断面図
【図３】本発明の実施の形態３のプラズマディスプレイ装置を示す断面図
【図４】本発明の実施の形態４のプラズマディスプレイ装置を示す断面図
【図５】従来の冷却構造のプラズマディスプレイ装置の断面図
【図６】特許文献１に記載された従来の冷却構造のプラズマディスプレイ装置の断面図
【符号の説明】
【００４０】
１    プラズマディスプレイ装置
２    脚部
３    基台
４    パネル本体部
５    バックカバー
６    ファン
７    放熱孔
８    シャーシ
９    回路部
１０，１１    赤外線吸収層
１２    赤外線透過バックカバー
１３    赤外線反射層
１４，１７，１９，２０    赤外線
１５    空気
１６    壁
１８    黒色陽極酸化皮膜
２１    矢印
【図１】
2005338705.tif 000004
【図２】
2005338705.tif 000005
【図３】
2005338705.tif 000006
【図４】
2005338705.tif 000007
【図５】
2005338705.tif 000008
【図６】
2005338705.tif 000009